(57)【特許請求の範囲】
【請求項１】
下枠から巾木を垂下させた下枠構造であって、
前記下枠は、前記巾木の上端部に設けられた取付部を上下方向に固着具で固定する取付面を有し、該取付面に上端部が固定された巾木の巾木支持部が躯体に形成された段差の室外側面を構成する立上り面に対して位置決めされる構成であり、
前記下枠の室外側端部は、前記立上り面よりも上側に位置し、且つ前記立上り面よりも室外側に張り出した位置にあり、
前記下枠は、前記室外側端部から前記立上り面の上端部よりも下側の位置まで下方に突出することで、該下枠の室外側見付け面を形成した巾木部を有し、
前記取付面は、前記巾木部と前記立上り面との間に挟まれた位置であって、前記下枠の上面が形成された板状部分の下側となる位置に設けられ、
前記巾木は、その上端部の室外側部分が前記巾木部の下端部に対して取り付けられ、その上端部の室内側部分にある前記取付部が前記取付面に固定されていることを特徴とする下枠構造。
【請求項２】
請求項１記載の下枠構造において、
前記下枠の上面には、前記取付面で巾木を固定するための前記固着具を上方から挿通させるための開口部が設けられていることを特徴とする下枠構造。
【請求項３】
請求項１又は２記載の下枠構造において、
前記巾木の上端部の前記室外側部分には、前記下枠の前記巾木部に対して該巾木を回動可能に保持可能な保持部が設けられていることを特徴とする下枠構造。
【請求項４】
請求項３記載の下枠構造において、
前記保持部は、前記下枠の室外側端部に係合するように見込み方向に並んで上方に突出した一対の係合片を有し、
前記一対の係合片は、室外側に設けられた係合片よりも室内側に設けられた係合片の突出高さが大きいことを特徴とする下枠構造。
【請求項５】
請求項１〜４のいずれか１項に記載の下枠構造において、
前記巾木支持部は、前記躯体の立上り面に当接配置されたスペーサ部材に対して固定されることを特徴とする下枠構造。
【請求項６】
請求項１〜５のいずれか１項に記載の下枠構造において、
前記取付面を前記下枠に対して取り付けされるブラケットに設けたことを特徴とする下枠構造。
【請求項７】
請求項１〜６のいずれか１項に記載の下枠構造において、
前記下枠は、既設ドアを撤去して残存させた既設ドア枠の下枠の水切り面の上面に対して取り付けられる新設ドア枠の下枠であることを特徴とする下枠構造。
【請求項８】
請求項１〜７のいずれか１項に記載の下枠構造を備えることを特徴とする建具。
【発明の詳細な説明】
【技術分野】
【０００１】
本発明は、下枠から巾木を垂下させた下枠構造及び該下枠構造を備える建具に関する。
【背景技術】
【０００２】
例えば特許文献１には、玄関ドアのドア枠の下枠として、躯体（土間）に固定される下枠本体と、下枠本体の室外側見付け面から垂下され、躯体に形成された室内外の段差の正面（立上り面）を覆うように設けられる垂下板（巾木）とを有する構成が開示されている。
【先行技術文献】
【特許文献】
【０００３】
【特許文献１】特開平１０−１８４２０４号公報
【発明の概要】
【発明が解決しようとする課題】
【０００４】
上記特許文献１の構成では、垂下板が下枠本体と一体に成形されているが、施工現場での作業効率や部品の汎用性等を考慮し、別体の巾木を垂下板の代わりに後付けで或いは先付けで下枠に取り付ける構成が採用されることがある。
【０００５】
このような巾木は、新築物件だけでなく、例えば玄関ドア等の既設ドア枠を残存させた状態で既設ドアを撤去し、その内側に新設ドア枠及び新設ドアを取り付ける改装物件でも利用されることがある。例えば改装ドアの施工時には、躯体の段差部分から新設ドア枠の下枠が室外側に突出した状態となるため、この下枠の突出部分から垂下させるように巾木を取り付けることで、既設ドア枠の下枠や躯体の立上り面を覆い隠すことができ、改装ドアの見栄えが向上する。
【０００６】
ところが、下枠に対する巾木の取付作業は、床面との間のスペースの問題からドライバ等の工具による作業が難しい場合があり、施工現場での作業効率の点で課題も多い。
【０００７】
本発明は、上記従来技術の課題を考慮してなされたものであり、高い作業効率で巾木を設置することができる下枠構造及び該下枠構造を備える建具を提供することを目的とする。
【課題を解決するための手段】
【０００８】
本発明に係る下枠構造は、下枠から巾木を垂下させた下枠構造であって、前記下枠は、前記巾木の上端部に設けられた取付部を上下方向に固着具で固定する取付面を有し、該取付面に上端部が固定された巾木の巾木支持部が躯体に形成された段差の室外側面を構成する立上り面に対して位置決めされる構成であり、前記下枠の室外側端部は、前記立上り面よりも上側に位置し、且つ前記立上り面よりも室外側に張り出した位置にあり、前記下枠は、前記室外側端部から前記立上り面の上端部よりも下側の位置まで下方に突出することで、該下枠の室外側見付け面を形成した巾木部を有し、前記取付面は、前記巾木部と前記立上り面との間に挟まれた位置であって、前記下枠の上面が形成された板状部分の下側となる位置に設けられ、前記巾木は、その上端部の室外側部分が前記巾木部の下端部に対して取り付けられ、その上端部の室内側部分にある前記取付部が前記取付面に固定されていることを特徴とする。
【０００９】
また、本発明に係る建具は、上記構成の下枠構造を備えることを特徴とする。
【００１０】
このような構成によれば、下枠の取付面に対して巾木の取付部を上下方向に固着具で固定する構成としたため、躯体の床面との間のスペースの大小に関係なくドライバ等の工具によるねじ止め作業を容易に行うことができ、高い作業効率で巾木を設置することができる。しかも、下枠を施工する前後のいずれのタイミングでも巾木を下枠に対して取り付けることが可能となり、施工作業の作業効率が一層向上する。
【００１１】
本発明に係る下枠構造において、前記下枠の上面には、前記取付面で巾木を固定するための前記固着具を上方から挿通させるための開口部が設けられた構成であってもよい。そうすると、下枠の施工後であっても巾木を容易に上面側からねじ止め固定することができる。
【００１２】
本発明に係る下枠構造において、前記巾木の上端部には、前記取付部よりも室外側となる位置に、前記下枠に対して該巾木を回動可能に保持可能な保持部が設けられた構成であってもよい。そうすると、先に保持部を下枠に係合させることで巾木の下枠に対する位置決めがなされると共に、巾木を下枠に対して仮保持した状態で回動させることでその室内側見付け面を立上り面に対して当接支持することができ、作業効率が一層向上する。しかも、保持部で巾木が仮保持されるため、取付ねじの締結作業時に巾木ががたつきや位置ずれを生じることを防止でき、作業をより安定して行うことができる。
【００１３】
本発明に係る下枠構造において、前記保持部は、前記下枠の室外側端部に係合するように見込み方向に並んで上方に突出した一対の係合片を有し、前記一対の係合片は、室外側に設けられた係合片よりも室内側に設けられた係合片の突出高さが大きい構成であってもよい。これにより、簡素な構造で保持部を下枠に対して確実に回動可能に保持させることができる。
【００１４】
本発明に係る下枠構造において、前記巾木支持部は、前記躯体の立上り面に当接配置されたスペーサ部材に対して固定される構成であってもよい。そうすると、巾木の室内側見付け面を立上り面に対して当接支持する際、立上り面の位置やスペーサ部材の寸法精度に依存することなく巾木を安定して施工することができ、作業効率がより一層向上する。
【００１５】
前記取付面を前記下枠に対して取り付けされるブラケットに設けた構成としてもよい。そうすると、各種建具に利用される下枠にブラケットを取り付けることで巾木を取付可能な構造となるため、下枠の汎用性が向上する。
【００１６】
本発明に係る下枠構造において、前記下枠は、既設ドアを撤去して残存させた既設ドア枠の下枠の水切り面の上面に対して取り付けられる新設ドア枠の下枠であってもよい。すなわち、当該下枠構造は、新築の建物だけでなく、改装ドアの建具に対しても適用でき、改装作業の作業効率を向上させることができる。
【発明の効果】
【００１７】
本発明によれば、下枠の取付面に対して巾木を上下方向に固着具で固定する構成としたため、躯体の床面との間のスペースの大小に関係なくドライバ等の工具によるねじ止め作業を容易に行うことができ、高い作業効率で巾木を設置することができる。しかも、下枠を施工する前後のいずれのタイミングでも巾木を下枠に対して取り付けることが可能となり、施工作業の作業効率が一層向上する。
【図面の簡単な説明】
【００１８】
【図１】図１は、本発明の一実施形態に係る下枠構造を適用した建具の縦断面図である。
【図２】図２は、図１に示す建具の横断面図である。
【図３】図３は、図１に示す下枠周辺を拡大した縦断面図である。
【図４】図４は、土間に固定した下枠に対して巾木を後付けで取り付ける場合に、巾木を斜め姿勢で下枠に近づける状態を示す縦断面図である。
【図５】図５は、図４に示す状態から巾木の保持部を下枠に係合させた状態を示す縦断面図である。
【図６】図６は、図５に示す状態から巾木を回動させ、下枠とねじ止めする状態を示す縦断面図である。
【図７】図７は、下枠に巾木を先付けで取り付けた後、既設ドア枠の下枠及び土間に固定する場合に、巾木を下方から下枠に近づける状態を示す縦断面図である。
【図８】図８は、図７に示す状態から巾木の保持部を下枠に係合させ、下枠とねじ止めする状態を示す縦断面図である。
【発明を実施するための形態】
【００１９】
以下、本発明に係る下枠構造について、この構造を備えた建具を例示して好適な実施の形態を挙げ、添付の図面を参照しながら詳細に説明する。
【００２０】
図１は、本発明の一実施形態に係る下枠構造１０を適用した建具１２の縦断面図であり、図２は、図１に示す建具１２の横断面図である。
【００２１】
図１及び図２に示すように、建具１２は、建物の躯体１４の開口部に予め設置されていた既設ドアをドア枠（既設ドア枠１６）を残して撤去し、残存させた既設ドア枠１６の内側に新たなドア枠（新設ドア枠１８）を取り付けて新設ドア２０を開閉可能に支持した改装ドアである。建具１２は、例えば住宅の玄関ドアや開口窓の改装工事で設置されるものであるが、当該下枠構造１０は新築の建物の玄関ドアや開口窓等にも利用可能である。
【００２２】
既設ドア枠１６は、上枠１６ａと、下枠１６ｂと、左右の縦枠１６ｃ，１６ｄとを四周枠組みすることで矩形の開口部を形成したものである。上枠１６ａ、下枠１６ｂ及び縦枠１６ｃ，１６ｄは、例えばアルミニウム等の金属材料の押出形材である。これら上枠１６ａ、下枠１６ｂ及び縦枠１６ｃ，１６ｄは、新設ドア枠１８の取付前から躯体１４に固定されている。下枠１６ｂの一部は、躯体１４の床面を構成する土間２２に埋設するように固定されている。
【００２３】
新設ドア枠１８は、上枠１８ａと、下枠１８ｂと、左右の縦枠１８ｃ，１８ｄとを四周枠組みすることで矩形の開口部（ドア開口部１９）を形成したものである。上枠１８ａ、下枠１８ｂ及び縦枠１８ｃ，１８ｄは、例えばアルミニウム等の金属材料の押出形材で構成されている。
【００２４】
図１に示すように、上枠１８ａには、その見込み面から下方に突出した戸当たり部２８が設けられており、クランク状の連結金具３０を介して躯体１４に連結固定される。上枠１８ａの室外側見付け面には、既設ドア枠１６の上枠１６ａを室外側から覆い隠す外額縁３２が固定される。外額縁３２は、アルミニウム等の金属材料の押出形材で形成された化粧部材であり、建具１２の室外側の見栄えを高めるためのものである。
【００２５】
また、上枠１８ａの室内側には、連結金具３０をドア開口部１９側から覆う額縁部材２９が設けられている。額縁部材２９は、例えば断面略Ｌ字状に形成されたアルミニウム等の金属材料の押出形材であり、躯体１４に対して固定される。額縁部材２９の室内側見付け面にはアングル金具３１が連結固定される。アングル金具３１は、例えば断面略Ｌ字状に形成されたアルミニウム等の金属材料の押出形材である。このアングル金具３１の裏面側（躯体１４側）の見込み面には木額縁（化粧部材）３７が連結固定される。木額縁３７は木製の額縁部材であり、建具１２の室内側の見栄えを高めるためのものである。
【００２６】
下枠１８ｂは、既設ドア枠１６の下枠１６ｂの水切り面の上面に重ねて載置され、固定ねじ３４によって下枠１６ｂと共に土間２２に連結固定される。下枠１８ｂは階段形状を有し、戸当たり部３５と、室外側見付け面を形成する巾木部３６とを有する。巾木部３６は、その下方に連結された巾木３８と共に土間２２の室内外段差の室外側面である立上り面２２ａを覆うものである。これら下枠１８ｂと巾木３８との間は下枠構造１０によって連結される。図１中の参照符号４０は、土間２２の上面及び立上り面２２ａ及び室外側の室外床面２２ｂに敷設された既設のタイル材である。
【００２７】
図２に示すように、左右の縦枠１８ｃ，１８ｄには、その見込み面から内方に突出した戸当たり部４２がそれぞれ設けられている。各縦枠１８ｃ，１８ｄは、その室外側見込み面がクランク状の連結金具４４を介して躯体１４に連結固定される。縦枠１８ｃ，１８ｄの室外側見付け面には、既設ドア枠１６の縦枠１６ｃ，１６ｄを室外側から覆い隠す外額縁４６が固定される。外額縁４６は、アルミニウム等の金属材料の押出形材で形成された化粧部材であり、建具１２の室外側の見栄えを高めるためのものである。
【００２８】
また、縦枠１８ｃ，１８ｄの室内側には、連結金具４４をドア開口部１９側から覆う額縁部材５６が設けられている。額縁部材５６は、例えば断面略Ｌ字状に形成されたアルミニウム等の金属材料の押出形材であり、躯体１４に対して固定される。額縁部材５６の室内側見付け面にはアングル金具５７が連結固定される。アングル金具５７は、例えば断面略Ｌ字状に形成されたアルミニウム等の金属材料の押出形材である。このアングル金具５７の裏面側（躯体１４側）の見込み面には木額縁（化粧部材）６０が連結固定される。木額縁６０は木製の額縁部材であり、建具１２の室内側の見栄えを高めるためのものである。図１及び図２に示すように、これら額縁部材５６、アングル金具５７及び木額縁６０の見込み面の下部は巾木状のカバー部材６３によって一体的に覆われる。
【００２９】
図１及び図２に示すように、新設ドア２０は、本実施形態の場合片開きであり、新設ドア枠１８の縦枠１８ｃに取り付けられたヒンジ４８を介して新設ドア枠１８の内側で開閉可能に支持される。新設ドア２０は、新設ドア枠１８の各枠１８ａ〜１８ｄに設けられた戸当たり部２８，３５，４２の室外側で開閉するように設置される。新設ドア２０は、両開きドア等であってもよい。
【００３０】
このような新設ドア２０を支持する新設ドア枠１８の下枠１８ｂは、その室外側見付け面となる巾木部３６から巾木３８が垂下されることで下枠構造１０を構成する。
【００３１】
そこで、次に、本実施形態に係る下枠構造１０の具体的な構成を説明する。
【００３２】
図３は、図１に示す下枠１８ｂ周辺を拡大した縦断面図である。図３に示すように、下枠構造１０は、既設ドア枠１６の下枠１６ｂから室外側に突出するように設置される下枠１８ｂから巾木３８を垂下させることで、土間２２の立上り面２２ａを室外側から覆い、下枠１８ｂ周辺の見栄えを高めるものである。
【００３３】
先ず、下枠１８ｂは、巾木３８を取付ねじ５０でねじ止め固定するために下面側に設けられた取付面５２と、水切り面となる上面に形成された開口部５４とを有する。
【００３４】
取付面５２は、下枠１８ｂの立上り面２２ａより室外側に突出した部分の下面側であって巾木部３６の室内側となる位置に設けられ、見込み方向に沿った略水平の板状部である。本実施形態では、下枠１８ｂの下面にその長手方向に延びたブラケット５５を嵌合固定し、このブラケット５５に取付面５２を形成している。ブラケット５５（取付面５２）は、下枠１８ｂと一体に成形されてもよいが、本実施形態のように取付面５２を別部材のブラケット５５に設けると、各種建具に利用される下枠１８ｂにブラケット５５を取り付けることで巾木３８を取付可能な構造となるため、下枠１８ｂの汎用性が向上する。
【００３５】
開口部５４は、取付ねじ５０を上方から取付面５２に対して取り付ける際に挿通させるねじ挿通孔である。この開口部５４が設けられた下枠１８ｂの水切り面は、その上面側からステンレス製の薄板であるカバー材５８で覆われる。カバー材５８は、土間２２の立上り面２２ａに対して固定ねじ５９で固定される断面Ｌ字状の支持ブラケット６１に対し、その上面側から固定ねじ６２を用いてねじ止め固定される。
【００３６】
次に、巾木３８は、下枠１８ｂの長手方向に亘って延びたプレート状部材であり、例えばアルミニウム等の金属材料の押出形材である。巾木３８は、その上端部に下枠１８ｂの取付面５２に対する取付片（取付部）３８ａを有し、取付片３８ａよりも室外側となる位置に保持部６４を有する。また、巾木３８には、その上下方向に沿って並んで室内側に突出した複数のフィン３８ｂが設けられている。
【００３７】
取付片３８ａは、巾木３８の上端部からクランク状に屈曲して室内側に突出し、下枠１８ｂの取付面５２と対面するように設けられ、見込み方向に沿った略水平の板状部である。取付片３８ａは、取付面５２の下面に当接された状態で上下方向の取付ねじ５０によって該取付面５２と締結される。
【００３８】
保持部６４は、巾木３８の上端部における室外側端部に設けられ、上方に突出して見込み方向に並んだ一対の係合片６４ａ，６４ｂを有する。保持部６４では、室外側に設けられた係合片６４ａよりも室内側に設けられた係合片６４ｂの突出高さが大きく構成されている。室内側の係合片６４ｂには、室外側の係合片６４ａ側に突出した凸形状６４ｃが屈曲形成されている。これにより、保持部６４を下枠１８ｂの巾木部３６の下端部（見込み面）に係合させることで巾木３８を下枠１８ｂに対して仮保持することができる。この際、凸形状６４ｃが巾木部３６のフィンに係止されるため、仮保持した巾木３８は保持部６４を支点として下枠１８ｂに対して回動可能な状態となる。
【００３９】
各フィン３８ｂは、巾木３８の剛性を補強すると同時に、土間２２の室外側の室外床面２２ｂに対してシール材６６を介して接続される着地面となる。巾木３８は、各フィン３８ｂの下面側根元及びその近傍に折り取り溝３８ｃが形成されており、室外床面２２ｂに対する巾木３８の高さ調整が可能となっている。また、一部のフィン３８ｂの室内側端部には、上下方向の当接面３８ｄが形成されている。当接面３８ｄは巾木３８の室内側見付け面３８ｄとなり、土間２２の立上り面２２ａに対してスペーサ部材６８を介して当接支持される。当接面３８ｄとスペーサ部材６８との当接面間は、例えば接着剤や両面テープを用いて接着固定される。
【００４０】
従って、下枠構造１０では、下枠１８ｂの巾木部３６の下端部に対して保持部６４を係合させ、取付面５２に対して取付片３８ａを当接させてこれらを上下方向の取付ねじ５０で締結し、さらに所定の当接面３８ｄを立上り面２２ａに当接配置させたスペーサ部材６８に対して固定することで、下枠１８ｂ及び巾木３８を設置することができる。
【００４１】
なお、詳細は後述するが、保持部６４は巾木３８の下枠１８ｂに対する仮保持や取付ねじ５０の安定した締結作業のために有用であるが、省略した場合であっても下枠構造１０は構成可能である。また、下枠１８ｂの立上り面２２ａからの突出長さや巾木３８の設置位置或いは形状によっては、スペーサ部材６８を介さずに当接面３８ｄを直接的に立上り面２２ａに当接させてもよい。
【００４２】
次に、このような下枠構造１０の施工手順の一例を説明する。下枠構造１０は、躯体である土間２２に下枠１８ｂを固定した後、巾木３８を取り付ける後付けの施工手順と、下枠１８ｂに巾木３８を取り付けた後にこれらを土間２２に固定する先付けの施工手順とに対応している。
【００４３】
図４〜図６は、土間２２に固定した下枠１８ｂに対して巾木３８を後付けで取り付ける手順を説明する動作図である。
【００４４】
既設ドア枠１６の下枠１６ｂに取り付けられた下枠１８ｂに対して巾木３８を取り付ける際には、先ず、巾木３８を下枠１８ｂの下方から斜めに近づけ（図４参照）、保持部６４を巾木部３６に係合させる（図５参照）。これにより、巾木３８が下枠１８ｂに対して仮保持されると共に、巾木３８は保持部６４を支点として振り子状に回動可能な状態となる。
【００４５】
続いて、図５に示すように巾木３８を回動させ、当接面３８ｄを立上り面２２ａに当接配置されたスペーサ部材６８に向かって近づける。そうすると、図６に示すように、当接面３８ｄが予め貼着された両面テープ等によってスペーサ部材６８に接着されると同時に、取付片３８ａが下枠１８ｂの取付面５２に当接配置される。
【００４６】
そこで、下枠１８ｂの上面に形成された開口部５４から取付ねじ５０を挿通させ、取付面５２と取付片３８ａとの間を締結する。これにより、下枠１８ｂに対する巾木３８の取付作業が完了するため、下枠１８ｂの上面にカバー材５８を載置してこれを固定ねじ６２で固定する。その結果、図３に示す下枠構造１０が構築される。なお、取付面５２と取付片３８ａとの間は取付ねじ５０以外の固着具、例えばかしめ構造の固着具を用いて固定してもよい。
【００４７】
図７及び図８は、下枠１８ｂに巾木３８を先付けで取り付けた後、土間２２に固定する手順を説明する動作図である。
【００４８】
既設ドア枠１６の下枠１６ｂに対して下枠１８ｂを取り付ける前に下枠１８ｂに巾木３８を取り付ける際には、先ず、巾木３８を下枠１８ｂの下方から近づけ（図７参照）、保持部６４を巾木部３６に係合させる（図８参照）。これにより、巾木３８が下枠１８ｂに対して仮保持されると共に、取付片３８ａが下枠１８ｂの取付面５２に当接配置される。
【００４９】
そこで、下枠１８ｂの上面に形成された開口部５４から取付ねじ５０を挿通させるか、又は取付片３８ａ側の下方から取付ねじ５０を配置して、取付面５２と取付片３８ａとの間を締結する。これにより、下枠１８ｂに対して巾木３８の取付作業が完了する。つまり、この後付けの手順では、取付ねじ５０は上方及び下方のいずれの方向からでも締め付けることができるため、作業者が作業し易い締結方向で作業を行えばよい。
【００５０】
続いて、巾木３８を取り付けた下枠１８ｂを既設ドア枠１６の下枠１６ｂ及び土間２２に対して位置決めする。そして、固定ねじ３４を用いて下枠１８ｂを下枠１６ｂ及び土間２２に対して取り付けると共に、当接面３８ｄを予め貼着された両面テープ等によってスペーサ部材６８に接着した後、下枠１８ｂの上面にカバー材５８を載置してこれを固定ねじ６２で固定する（図８も参照）。その結果、図３に示す下枠構造１０が構築される。
【００５１】
以上のように、本実施形態に係る下枠構造１０によれば、下枠１８ｂは、巾木３８の上端部に設けられた取付片３８ａを上下方向に固着具で固定する取付面５２を有し、取付面５２に上端部が固定された巾木３８の室内側見付け面３８ｄが躯体である土間２２の立上り面２２ａに対して直接的に或いはスペーサ部材６８を介して位置決めされる。
【００５２】
このように、当該下枠構造１０では、下枠１８ｂの取付面５２に対して巾木３８の取付片３８ａを上下方向にねじ止め固定する構成としたため、土間２２の室外床面２２ｂとの間のスペースの大小に関係なくドライバ等の工具によるねじ止め作業を容易に行うことができ、高い作業効率で巾木３８を設置することができる。しかも、下枠１８ｂを既設ドア枠１６の下枠１６ｂ及び土間２２に対して施工する前後のいずれのタイミングでも巾木３８を下枠１８ｂに対して取り付けることが可能となり、施工作業の作業効率が一層向上する。
【００５３】
また、巾木３８の室内側見付け面３８ｄを立上り面２２ａに対して位置決めする構成としたため、立上り面２２ａの位置やスペーサ部材６８の寸法精度に依存することなく巾木３８を安定して施工することができ、作業効率がより一層向上する。しかも、室内側見付け面３８ｄを立上り面２２ａで位置決めしておくことで、巾木３８が立上り面２２ａに対して相対的に動かない状態となるため、施工後に人が靴のつま先等で巾木３８を蹴った場合等にも巾木３８が位置ずれを生じることがない。なお、このような立上り面２２ａに対する巾木３８の位置決め部（巾木支持部）としては、室内側見付け面３８ｄに代えてフィン３８ｂの先端面を用いてもよく、両者を同時に用いてもよい。
【００５４】
この際、下枠１８ｂの上面には、取付面５２で巾木３８を固定するための取付ねじ５０を上方から挿通させるための開口部５４が設けられているため、下枠１８ｂの設置後であっても巾木３８を容易にねじ止め固定することができる。
【００５５】
さらに、当該下枠構造１０では、巾木３８の上端部には、取付片３８ａよりも室外側となる位置に、下枠１８ｂに対して該巾木３８を回動可能に保持可能な保持部６４を設けている。これにより、先に保持部６４を下枠１８ｂに係合させることで巾木３８の下枠１８ｂに対する位置決めがなされると共に、巾木３８を下枠１８ｂに対して仮保持した状態で回動させることで室内側見付け面３８ｄを立上り面２２ａに対して当接支持することができ、作業効率が一層向上する。しかも、保持部６４で巾木３８が仮保持されるため、取付ねじ５０の締結作業時に巾木３８ががたつきや位置ずれを生じることを防止でき、作業をより安定して行うことができる。
【００５６】
なお、本発明は、上記した実施形態に限定されるものではなく、本発明の主旨を逸脱しない範囲で自由に変更できることは勿論である。
【符号の説明】
【００５７】
１０  下枠構造、１２  建具、１４  躯体、１６  既設ドア枠、１６ａ，１８ａ  上枠、１６ｂ，１８ｂ  下枠、１６ｃ，１６ｄ，１８ｃ，１８ｄ  縦枠、１８  新設ドア枠、１９  ドア開口部、２０  新設ドア、２２  土間、２２ａ  立上り面、２２ｂ  室外床面、３６  巾木部、３８  巾木、３８ａ  取付片、３８ｄ  当接面（室内側見付け面）、５０  取付ねじ、５２  取付面、５４  開口部、５８  カバー材、６４  保持部、６４ａ，６４ｂ  係合片、６４ｃ  凸形状、６８  スペーサ部材
【図１】
0006595777.tif 000002
【図２】
0006595777.tif 000003
【図３】
0006595777.tif 000004
【図４】
0006595777.tif 000005
【図５】
0006595777.tif 000006
【図６】
0006595777.tif 000007
【図７】
0006595777.tif 000008
【図８】
0006595777.tif 000009